(57)【要約】【課題】  その目的は、多品種少量生産を効率よく低コストで実現す、不良カードの取り除きを簡単に行えるカード打ち抜き装置を提供することを目的としている。【解決手段】  複数のカード部分が整列されたシート10から該カード部分を打ち抜いてカードを形成するカード打ち抜き部5と、概で打ち抜き形成されたカードを搬送するカード搬送部6と、該6の下方に往復スライド動作を行うように設けられた、カード搬送部6から排出されるカードを横一列ずつ受け取ってシート10のカード部分の整列と略同様な整列状態に受け並べるカード受け並べスライド体11と、該11に並べられたカードを、シート10のカード部分の整列を維持した状態で重ね収納するカード収納部を有するカード収納体13とからなる。【選択図】図１
2008246603.tif 000002
【特許請求の範囲】
【請求項１】
複数のカード部分が整列されたシートから該カード部分を打ち抜いてカードを形成するカード打ち抜き部と、
このカード打ち抜き部で打ち抜き形成されたカードを搬送するカード搬送部と、
このカード搬送部のカード排出部と、
前記カード搬送部の下方に往復スライド動作を行うように設けられた、前記排出部から排出される前記カードを横一列ずつ受け取って前記シートのカード部分の整列と略同様な整列状態に受け並べるカード受け並べスライド体と、
このカード受け並べスライド体に並べられたカードを、前記シートのカード部分の整列状態を略維持して重ね収納するカード収納部を有するカード収納体と、からなることを特徴とするカード打ち抜き装置。
【請求項２】
複数のカード部分が整列されたシートから該カード部分を打ち抜いてカードを形成するカード打ち抜き部と、
このカード打ち抜き部で打ち抜き形成されたカードを搬送するカード搬送部と、
このカード搬送部のカード排出部と、
前記カード搬送部の下方に往復スライド動作を行うように設けられた、前記排出部から排出される前記カードを横一列ずつ受け取って前記シートのカード部分の整列と略同様な整列状態に受け並べるカード受け並べスライド体と、
このカード受け並べスライド体に受け並べられたカードを、前記シートのカード部分の整列を略維持したまま吸付ける吸付け部を有するとともに、該吸付け部に該カードを吸い付けて受け並べスライド体から該カードを受け取るカード受け渡し手段と、
このカード受け渡し手段の１シートごとのカードを該カード受け渡し手段から受け取って積み重ね収納する複数のカード収納部が整列され、前記シートのカード部分の整列と略同様な整列で該カードを整列収納するカード収納体と、からなることを特徴とするカード打ち抜き装置。
【発明の詳細な説明】
【技術分野】
【０００１】
本発明は、横列３枚×縦列９枚＝２７枚というような多数のカード部分を整列したシートを打ち抜くカード打ち抜き装置に関する。
【背景技術】
【０００２】
従来のカード打ち抜き装置は、打ち抜いたカードは搬送されて横一列のみのカードポケットに積み重ねられ収納さる構成となっている。（前記横列３枚×縦列９枚のシートでは横一列３ポケット。）
【特許文献１】特に無し
【非特許文献１】特に無し
【発明の開示】
【発明が解決しようとする課題】
【０００３】
上述した従来技術は次に述べるような欠点を有するものであった。
（１）例えば１００枚の名刺を作成する場合は、そのための一枚の版を作成し、横列３枚×縦列９枚＝２７枚のシートでは、該シートを１枚作成し3シートを打ち抜けばよいことになる。すなわち、少量の注文に一枚の版を作成しなければならないもので、高コストになるという欠点があった。
その逆に２７種類の名刺を施した一枚の版を作成し、２７種類の名刺を１００枚ずつ作成した場合、版コストは低コストになるが、横一列３ポケットに重ね収納するために９種類のカードが積み重なった状態となり、後で種類ごとに仕分ける作業に大変手間がかかるので、高コストになるという欠点があった。
すなわち、多品種少量生産に低コストで対応することができないという欠点を有するものであった。
（２）カード部分が印刷されたシートに塵が付着したりして、不良カードが検出された場合、横一列のポケットであるために、不良カードと良カードとが混在する状態でポケットに積み重ねられてしまい、良カードと不良カードの混在のなかから不良カードを摘出するための煩雑な作業をしなければならないという欠点を有するものであった。
【０００４】
本発明は以上のような従来技術の欠点に鑑みてなされたものであって、その目的は、多品種少量生産を効率よく低コストで実現する、不良カードの取り除きを簡単に行えるカード打ち抜き装置を提供することを目的としている。
【課題を解決するための手段】
【０００５】
上記目的を達成するために、本発明は次のような構成としている。
＜請求項１記載の発明＞
複数のカード部分が整列されたシートから該カード部分を打ち抜いてカードを形成するカード打ち抜き部と、このカード打ち抜き部で打ち抜き形成されたカードを搬送するカード搬送部と、このカード搬送部のカード排出部と、前記カード搬送部の下方に往復スライド動作を行うように設けられた、前記排出部から排出される前記カードを横一列ずつ受け取って前記シートのカード部分の整列と略同様な整列状態に受け並べるカード受け並べスライド体と、このカード受け並べスライド体に並べられたカードを、前記シートのカード部分の整列状態を略維持して重ね収納するカード収納部を有するカード収納体とでカード打ち抜き装置を構成している。
カード受け並べスライド体のカードの受け取り部位の構造には、平らな面に受け取る、カードが動かないようにする突起の間に受け取る、カードを受け取る凹み（カードポケット）が形成されその凹みにカードを受け取るなどの構造がある。
カード受け並べスライド体のカードの受け取り形態には、１シート分を受け取りその１シート分のカードを他の重ね収納部に移す、深いカードポケットを設け多数シートのカードを該カードポケットに積み重ね収納して行くなどの形態がある。
カード受け並べスライド体に深いカードポケットを設け、多数シートのカードを該カードポケットに積み重ね収納して行く形態では、カード受け並べスライド体がカード収納体でもある。
＜請求項２記載の発明＞
複数のカード部分が整列されたシートから該カード部分を打ち抜いてカードを形成するカード打ち抜き部と、
このカード打ち抜き部で打ち抜き形成されたカードを搬送するカード搬送部と、
このカード搬送部のカード排出部と、
前記カード搬送部の下方に往復スライド動作を行うように設けられた、前記排出部から排出される前記カードを横一列ずつ受け取って前記シートのカード部分の整列と略同様な整列状態に受け並べるカード受け並べスライド体と、
このカード受け並べスライド体に受け並べられたカードを、前記シートのカード部分の整列を略維持したまま吸付ける吸付け部を有するとともに、該吸付け部に該カードを吸い付けて受け並べスライド体から該カードを受け取るカード受け渡し手段と、
このカード受け渡し手段の１シートごとのカードを該カード受け渡し手段から受け取って積み重ね収納する複数のカード収納部が整列され、前記シートのカード部分の整列と略同様な整列で該カードを整列収納するカード収納体とでカード打ち抜き装置を構成している。
【発明の効果】
【０００６】
以上の説明から明らかなように、本発明にあっては次に列挙する効果が得られる。
（１）例えば１枚のシートが３枚×９枚＝２７枚のカードを形成できるとし、例えば１００枚の名刺（カード）を作成する場合は、一つの版に最大２７種類の名刺を施し、それを打ち抜いて名刺を形成し並べ積み重ねる形態が、シートの名刺部分（カード部分）の整列と同じ整列で整列され積み重ねられるので、２７種類それぞれが単独で１００枚ずつ重なった状態となる。
すなわち、少数の版で多品種のカードが作成でき、カードを積み重ね収納後で種類ごとに仕分ける作業が必要ない、多品種少量生産を低コストで実現するという効果を奏する。
（２）カード部分が印刷されたシートに塵が付着したりして、不良カードが検出された場合、不良カード部分は同じ部位に生ずることが多く、その不良カード部分は同じカード収納部に収納されているので、その部分のカード束（不良カード束）を除くだけで不良カードの全部を取り除くことができるという、短時間で不良カードの取り除きを完了させるという効果を奏する。
（３）ＩＣチップを埋め込んだＩＣカードにおいては、ＩＣチップには事前に製造元メーカーや製造番号などの基本情報が記憶されており、このＩＣカード束の基本情報をＩＣカード束ごとに分かるようにする、管理できるようにする、証明できるようにするなどのことが行えるという効果を奏する。
【発明を実施するための最良の形態】
【０００７】
以下、図面に示す本発明を実施するための最良の形態により、本発明を詳細に説明する。但し、本発明をそれらのみに限定する趣旨のものではない。
【０００８】
図１ないし図４に示す本発明を実施するための最良の実施の形態において１はカード打ち抜き装置であって、カード打ち抜き装置１はシートセット部２と、このシートセット部２にセットされたカード部分を整列したシート１０を一枚ずつ持ち送るシート持ち送り手段３と、このシート持ち送り手段３からのシート１０を受けて搬送する多数の搬送ローラ７からなるシート搬送部４と、このシート搬送部４で送られてきたシートを打ち抜きカードを形成するカード打ち抜き部５と、このカード打ち抜き部５で打ち抜かれたカードをその横列を保持しながら搬送するカード搬送部６と、このカード搬送部６の下方に往復スライド動作を行うように設けられた、カード搬送部６から排出されるカードをシート１０のカード部分の整列と同様なカード整列に受け並べるカード受け並べスライド体１１と、このカード受け並べスライド体１１に並べられたカードをそのカード整列を維持したまま吸付けて受け取るカード受け渡し手段１２と、このカード受け渡し手段１２が受け取ったカードをそのカード整列を維持したまま受け取り重ね収納する整列されたカード収納部を有するカード収納体１３とからなっている。
【０００９】
シート１０はカード部分Ａ１〜カード部分Ａ２７が横列３枚×縦列９枚＝２７枚が印刷されている。
カード部分Ａ１〜カード部分Ａ２７は打ち抜かれてカードＣ１〜カードＣ２７に形成される。
【００１０】
シート持ち送り手段３はシート１０を吸付ける八本（２列４本）のシート吸付け部３０と、このシート吸付け部３０を上下移動させるエアシリンダーからなる上下駆動手段３１と、前後移動させる横駆動手段３２とからなっている。
【００１１】
打ち抜き装置３４にセットされたカード打ち抜き部５には横一列３枚の打ち抜き刃３５が設けられ、一回の打ち抜き動作でシート１０のカード部分を横一列３枚ずつ打ち抜いて横一列３枚のカードを形成するようになっている。
カード打ち抜き部は上記打ち抜き刃の数に限定されるものではなく、横一列１枚以上（例えば縦二列など）であればよい。
【００１２】
カード搬送部６はカードの横一列の整列を保持して搬送する、カードを挟持搬送する多数の搬送ローラ３６から構成されている。
カード搬送部６の中途の搬送ローラ３６と搬送ローラ３６との間に、シート１０のカードを抜き取った抜き残りシート３７をカード搬送部６の外に導きカードと分離させる分離爪３８を設けている。
分離爪３８で分離された抜き残りシート３７は下方に設けられた抜き残りシート回収ボックス３９に投下される。
カード搬送部６の終端ローラ４１はカード排出部４０となっている。
カードの打ち抜き動作中においてはシート搬送部４とカード搬送部６は連動した搬送、停止の動作を行う。
【００１３】
カード受け並べスライド体１１は平らな板部材からなるスライド体本体４５と、このスライド体本体４５の上面にシート１０のカード部分の整列と同様な整列で設けられた、カードを受け収納する５ｍｍ程度の深さの凹からなるカードポケットＰ１〜Ｐ２７と、スライド体本体４５を水平スライド移動させるモータ４７で制御回転されるボールネジからなるスライド体駆動手段４６と、スライド体本体４５の水平スライドを支持案内するガイド（省略）とからなっている。
スライド駆動手段は他にエアシリンダー、ラックなど多様な駆動手段がある。
カードポケットはカードポケットＰ１〜Ｐ２７に限定されるものではなく、より多いカードポケットを有する形態、それより少ない形態も本発明の技術的範疇に含まれるものである。
また、カード受け並べスライド体１１は３×９＝２７であるが、この範囲に入る例えば、横列３枚×縦列５枚のカード部分を整列させてなるシートを打ち抜いて成形したカードを３×５＝１５枚に整列させた形態でカード受け並べスライド体１１に受け取らせ、その整列状態でカード収納体１３に収納することも当然できるものである。
【００１４】
カード受け渡し手段１２は装置枠（省略）に固定された固定部５０と、この固定部５０の中央上部に固定されたエアシリンダー５１と、該５１から下方に延びたシリンダーシャフト５２と、該５２の先端の設けられた吸付け部支持枠５３と、この吸付け部支持枠５３の下部から下げられたカードを吸い付ける整列された多数本のカード吸付け部５４と、吸付け部支持枠５３の四隅に設けられた支持シャフト５５と、この支持シャフト５５をスライド支持する固定部５０に設けられた軸受５６とからなっている。
カード受け渡し手段によるカードの受け渡しは、1シート分全部を一回で行う場合はもちろんのこと、カード吸付け部５４の数が少ない場合は複数回に分けて受け渡しを行い、シートのカード部分の整列状態と略同じ整列状態に収納する形態なども本発明の技術的範疇に含まれるものである。
「シートのカード部分の整列を略維持したまま吸付ける吸付け部」の整列形態は、その吸付け形態はシート全部分のカードである場合もあるし、一部のカードである場合もあり、最終的にカード収納体にシートのカード部分の整列状態と略同様な整列状態で整列積み重ね収納されれば良い。
【００１５】
カード収納体１３は、カード受け渡し手段１２の１シートごとのカードＣ１〜カードＣ２７をカード受け渡し手段１２から受け取って積み重ね収納する複数のカード収納部Ｓ１〜Ｓ２７が設けられている。カード収納部Ｓ１〜Ｓ２７にシート１０のカード部分の整列と同様な整列でカードＣ１〜カードＣ２７を整列収納するようになっている。
カード収納部Ｓ１〜Ｓ２７の底部は昇降される可動底部６０となっていて、立設されたボールネジ（省略）に連結されて収納したカードの最上部が常に一定の位置となるように制御されている。
カード収納部はカード収納部Ｓ１〜Ｓ２７に限定されるものではなく、より多いカード収納部を有する形態、それより少ない形態も本発明の技術的範疇に含まれるものである。
【００１６】
カード打ち抜き装置１は次のように動作する。
（１）シート持ち送り手段３によりシート１０がシート搬送部６にセットされ、シート搬送部６はカード部分Ａ１、Ａ２、Ａ３（横第１列目）をカード打ち抜き部５にセット停止させ、打ち抜きによりカードＣ１、Ｃ２、Ｃ３を形成する。
（２）カードＣ１、Ｃ２、Ｃ３はシート１０内に保持されてカード打ち抜き部５外に送り出され、カード打ち抜き部５にはＡ４、Ａ５、Ａ６（横第２列目）がセットされる、打ち抜かれたカードＣ４、Ｃ５、Ｃ６が形成される。
（３）シート１０およびカードカードＣ１、Ｃ２、Ｃ３はカード搬送部６に届きカード搬送部６のローラに挟持され搬送されるようになる。
（４）横一列ごとに打ち抜きが進行され、シート１０は分離爪３８に当たりその搬送方向をカード搬送部６から外れた下方に変えられ、抜き残りシート３７（屑）となってシート回収ボックス３９に投下収納される。
（５）打ち抜かれたカードはその横列を保持した状態で、カード搬送部６で搬送・停止（打ち抜き時）という間欠的な搬送がされる。
（６）カード排出部４０の下のカードを受けるカード受け位置に、カード受け並べスライド体１１のカードポケットＰ１、Ｐ２、Ｐ３が位置され、カードＣ１、Ｃ２、Ｃ３が排出されカードポケットＰ１にカードＣ１が、カードポケットＰ２にカードＣ２が、カードポケットＰ３にカードＣ３が落とされ受け収められる。（図４の（ａ）、図３の（ａ））
（７）カード受け並べスライド体１１が受け取りスライドしてカード受け位置にカードポケットＰ４、Ｐ５、Ｐ６を位置させ、カードＣ４、Ｃ５、Ｃ６が同時に排出されカードポケットＰ４にカードＣ４が、カードポケットＰ５にカードＣ５が、カードポケットＰ６にカードＣ６が落とされ受け収められる。（図４の（ｂ）、図３の（ｂ））
以上のようにカード横一列ずつ所定のカードポケットにカード受け並べスライド体１１を停止させながら横一列ずつ受け取って行く。（図４の（Ｃ）〜（ｅ））
（８）カードポケットＰ１〜Ｐ２７にカードＣ１〜Ｃ２７が受け収められると、カード受け並べスライド体１１はカード収納体１３の真上（カード受け渡し手段１２の真下）に移動停止し（全カードを受け取った状態が真上の場合もある。）、カード受け渡し手段１２のカード吸付け部５４が下降してカードＣ１〜Ｃ２７を吸付け上昇し、カード受け並べスライド体１１が戻りスライドして、次のカードの受け取り動作を開始する。（図３の（ｃ）〜（ｄ））
（９）カードを吸い付けたカード吸付け部５４が下降し、カード収納部Ｓ１〜Ｓ２７にカードＣ１〜Ｃ２７を降ろし受け取らせ（積み重ね）、カード吸付け部５４を上昇させ、カードを受け並べたカード受け並べスライド体１１の次の到着を待つ。（図示せず）
【産業上の利用可能性】
【００１７】
本発明はカード打ち抜き装置を製造する産業で利用される。
【図面の簡単な説明】
【００１８】
【図１】本発明を実施するための最良の実施の形態の概略側面。
【図２】本発明を実施するための最良の実施の形態のシート持ち送り手段とカード受け渡し手段を省略した概略平面および拡大カード受け並べスライド体平面図。
【図３】本発明を実施するための最良の実施の形態のカード受け並べスライドのカード受け並べの進行状況を示す動作図。
【図４】本発明を実施するための最良の実施の形態のカード受け渡し手段の動作を示す動作図。
【符号の説明】
【００１９】
Ａ１〜Ａ２７：カード部分
Ｃ１〜Ｃ２７：カード
Ｐ１〜Ｐ２７：カードポケット
Ｓ１〜Ｓ２７：カード収納部
１：カード打ち抜き装置
２：シートセット部
３：シート持ち送り手段
４：シート搬送部
５：カード打ち抜き部
６：カード搬送部
７：搬送ローラ
１０：シート
１１：カード受け並べスライド体
１２：カード受け渡し手段
１３：カード収納体
３０：シート吸付け部
３１：上下駆動手段
３２：横駆動手段
３４：打ち抜き装置
３５：打ち抜き刃
３６：搬送ローラ
３７：抜き残りシート
３８：分離爪
３９：抜き残りシート回収ボックス
４０：カード排出部
４１：終端ローラ
４５：スライド体本体
４６：スライド体駆動手段
４７：モータ
５０：固定部
５１：エアシリンダー
５２：シリンダーシャフト
５３：吸付け部支持枠
５４：カード吸付け部
５５：支持シャフト
５６：軸受
６０：可動底部
【図１】
2008246603.tif 000003
【図２】
2008246603.tif 000004
【図３】
2008246603.tif 000005
【図４】
2008246603.tif 000006
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
複数のカード部分が整列されたシートから該カード部分を打ち抜いてカードを形成するカード打ち抜き部と、
このカード打ち抜き部で打ち抜き形成されたカードを搬送するカード搬送部と、
このカード搬送部の中途の搬送ローラと搬送ローラとの間に設けられた、前記シートの前記カードを抜き取った抜き残りシートを該カード搬送部の外に導き該カードと分離させる分離爪と、
前記カード搬送部の前記抜き残りシートと分離された前記カードを排出するカード排出部と、
前記カード搬送部の下方に往復スライド動作を行うように設けられた、前記排出部から排出される前記カードを横一列ずつ受け取って前記シートのカード部分の整列と略同様な整列状態に受け並べるカード受け並べスライド体と、
このカード受け並べスライド体に並べられたカードを、前記シートのカード部分の整列状態を略維持して重ね収納するカード収納部を有するカード収納体と、からなることを特徴とするカード打ち抜き装置
【請求項２】
複数のカード部分が整列されたシートから該カード部分を打ち抜いてカードを形成するカード打ち抜き部と、
このカード打ち抜き部で打ち抜き形成されたカードを搬送するカード搬送部と、
このカード搬送部の中途の搬送ローラと搬送ローラとの間に設けられた、前記シートの前記カードを抜き取った抜き残りシートを該カード搬送部の外に導き該カードと分離させる分離爪と、
前記カード搬送部の前記抜き残りシートと分離された前記カードを排出するカード排出部と、
前記カード搬送部の下方に往復スライド動作を行うように設けられた、前記排出部から排出される前記カードを横一列ずつ受け取って前記シートのカード部分の整列と略同様な整列状態に受け並べるカード受け並べスライド体と、
このカード受け並べスライド体に受け並べられたカードを、前記シートのカード部分の整列を略維持したまま吸付ける吸付け部を有するとともに、該吸付け部に該カードを吸い付けて該カード受け並べスライド体から該カードを受け取るカード受け渡し手段と、
このカード受け渡し手段の１シートごとのカードを該カード受け渡し手段から受け取って積み重ね収納する複数のカード収納部が整列され、前記シートのカード部分の整列と略同様な整列で該カードを整列収納するカード収納体と、からなることを特徴とするカード打ち抜き装置。
【手続補正２】
【補正対象書類名】明細書
【補正対象項目名】全文
【補正方法】変更
【補正の内容】
【発明の詳細な説明】
【技術分野】
【０００１】
本発明は、横列３枚×縦列９枚＝２７枚というような多数のカード部分を整列したシートを打ち抜くカード打ち抜き装置に関する。
【背景技術】
【０００２】
従来のカード打ち抜き装置は、打ち抜いたカードは搬送されて横一列のみのカードポケットに積み重ねられ収納さる構成となっている。（前記横列３枚×縦列９枚のシートでは横一列３ポケット。）
【特許文献１】特に無し
【非特許文献１】特に無し
【発明の開示】
【発明が解決しようとする課題】
【０００３】
上述した従来技術は次に述べるような欠点を有するものであった。
（１）例えば１００枚の名刺を作成する場合は、そのための一枚の版を作成し、横列３枚×縦列９枚＝２７枚のシートでは、該シートを１枚作成し3シートを打ち抜けばよいことになる。すなわち、少量の注文に一枚の版を作成しなければならないもので、高コストになるという欠点があった。
その逆に２７種類の名刺を施した一枚の版を作成し、２７種類の名刺を１００枚ずつ作成した場合、版コストは低コストになるが、横一列３ポケットに重ね収納するために９種類のカードが積み重なった状態となり、後で種類ごとに仕分ける作業に大変手間がかかるので、高コストになるという欠点があった。
すなわち、多品種少量生産に低コストで対応することができないという欠点を有するものであった。
（２）カード部分が印刷されたシートに塵が付着したりして、不良カードが検出された場合、横一列のポケットであるために、不良カードと良カードとが混在する状態でポケットに積み重ねられてしまい、良カードと不良カードの混在のなかから不良カードを摘出するための煩雑な作業をしなければならないという欠点を有するものであった。
【０００４】
本発明は以上のような従来技術の欠点に鑑みてなされたものであって、その目的は、多品種少量生産を効率よく低コストで実現する、不良カードの取り除きを簡単に行えるカード打ち抜き装置を提供することを目的としている。
【課題を解決するための手段】
【０００５】
上記目的を達成するために、本発明は次のような構成としている。
＜請求項１記載の発明＞
複数のカード部分が整列されたシートから該カード部分を打ち抜いてカードを形成するカード打ち抜き部と、このカード打ち抜き部で打ち抜き形成されたカードを搬送するカード搬送部と、このカード搬送部の中途の搬送ローラと搬送ローラとの間に設けられた、前記シートの前記カードを抜き取った抜き残りシートを該カード搬送部の外に導き該カードと分離させる分離爪と、前記カード搬送部の前記抜き残りシートと分離された前記カードを排出するカード排出部と、前記カード搬送部の下方に往復スライド動作を行うように設けられた、前記排出部から排出される前記カードを横一列ずつ受け取って前記シートのカード部分の整列と略同様な整列状態に受け並べるカード受け並べスライド体と、このカード受け並べスライド体に並べられたカードを、前記シートのカード部分の整列状態を略維持して重ね収納するカード収納部を有するカード収納体とでカード打ち抜き装置を構成している。
カード受け並べスライド体のカードの受け取り部位の構造には、平らな面に受け取る、カードが動かないようにする突起の間に受け取る、カードを受け取る凹み（カードポケット）が形成されその凹みにカードを受け取るなどの構造がある。
カード受け並べスライド体のカードの受け取り形態には、１シート分を受け取りその１シート分のカードを他の重ね収納部に移す、深いカードポケットを設け多数シートのカードを該カードポケットに積み重ね収納して行くなどの形態がある。
カード受け並べスライド体に深いカードポケットを設け、多数シートのカードを該カードポケットに積み重ね収納して行く形態では、カード受け並べスライド体がカード収納体でもある。
＜請求項２記載の発明＞
複数のカード部分が整列されたシートから該カード部分を打ち抜いてカードを形成するカード打ち抜き部と、
このカード打ち抜き部で打ち抜き形成されたカードを搬送するカード搬送部と、
このカード搬送部の中途の搬送ローラと搬送ローラとの間に設けられた、前記シートの前記カードを抜き取った抜き残りシートを該カード搬送部の外に導き該カードと分離させる分離爪と、
前記カード搬送部の前記抜き残りシートと分離された前記カードを排出するカード排出部と、
前記カード搬送部の下方に往復スライド動作を行うように設けられた、前記排出部から排出される前記カードを横一列ずつ受け取って前記シートのカード部分の整列と略同様な整列状態に受け並べるカード受け並べスライド体と、
このカード受け並べスライド体に受け並べられたカードを、前記シートのカード部分の整列を略維持したまま吸付ける吸付け部を有するとともに、該吸付け部に該カードを吸い付けて受け並べスライド体から該カードを受け取るカード受け渡し手段と、
このカード受け渡し手段の１シートごとのカードを該カード受け渡し手段から受け取って積み重ね収納する複数のカード収納部が整列され、前記シートのカード部分の整列と略同様な整列で該カードを整列収納するカード収納体とでカード打ち抜き装置を構成している。
【発明の効果】
【０００６】
以上の説明から明らかなように、本発明にあっては次に列挙する効果が得られる。
（１）例えば１枚のシートが３枚×９枚＝２７枚のカードを形成できるとし、例えば１００枚の名刺（カード）を作成する場合は、一つの版に最大２７種類の名刺を施し、それを打ち抜いて名刺を形成し並べ積み重ねる形態が、シートの名刺部分（カード部分）の整列と同じ整列で整列され積み重ねられるので、２７種類それぞれが単独で１００枚ずつ重なった状態となる。
すなわち、少数の版で多品種のカードが作成でき、カードを積み重ね収納後で種類ごとに仕分ける作業が必要ない、多品種少量生産を低コストで実現するという効果を奏する。
（２）カード部分が印刷されたシートに塵が付着したりして、不良カードが検出された場合、不良カード部分は同じ部位に生ずることが多く、その不良カード部分は同じカード収納部に収納されているので、その部分のカード束（不良カード束）を除くだけで不良カードの全部を取り除くことができるという、短時間で不良カードの取り除きを完了させるという効果を奏する。
（３）ＩＣチップを埋め込んだＩＣカードにおいては、ＩＣチップには事前に製造元メーカーや製造番号などの基本情報が記憶されており、このＩＣカード束の基本情報をＩＣカード束ごとに分かるようにする、管理できるようにする、証明できるようにするなどのことが行えるという効果を奏する。
【発明を実施するための最良の形態】
【０００７】
以下、図面に示す本発明を実施するための最良の形態により、本発明を詳細に説明する。但し、本発明をそれらのみに限定する趣旨のものではない。
【０００８】
図１ないし図４に示す本発明を実施するための最良の実施の形態において１はカード打ち抜き装置であって、カード打ち抜き装置１はシートセット部２と、このシートセット部２にセットされたカード部分を整列したシート１０を一枚ずつ持ち送るシート持ち送り手段３と、このシート持ち送り手段３からのシート１０を受けて搬送する多数の搬送ローラ７からなるシート搬送部４と、このシート搬送部４で送られてきたシートを打ち抜きカードを形成するカード打ち抜き部５と、このカード打ち抜き部５で打ち抜かれたカードをその横列を保持しながら搬送するカード搬送部６と、このカード搬送部６の下方に往復スライド動作を行うように設けられた、カード搬送部６から排出されるカードをシート１０のカード部分の整列と同様なカード整列に受け並べるカード受け並べスライド体１１と、このカード受け並べスライド体１１に並べられたカードをそのカード整列を維持したまま吸付けて受け取るカード受け渡し手段１２と、このカード受け渡し手段１２が受け取ったカードをそのカード整列を維持したまま受け取り重ね収納する整列されたカード収納部を有するカード収納体１３とからなっている。
【０００９】
シート１０はカード部分Ａ１〜カード部分Ａ２７が横列３枚×縦列９枚＝２７枚が印刷されている。
カード部分Ａ１〜カード部分Ａ２７は打ち抜かれてカードＣ１〜カードＣ２７に形成される。
【００１０】
シート持ち送り手段３はシート１０を吸付ける八本（２列４本）のシート吸付け部３０と、このシート吸付け部３０を上下移動させるエアシリンダーからなる上下駆動手段３１と、前後移動させる横駆動手段３２とからなっている。
【００１１】
打ち抜き装置３４にセットされたカード打ち抜き部５には横一列３枚の打ち抜き刃３５が設けられ、一回の打ち抜き動作でシート１０のカード部分を横一列３枚ずつ打ち抜いて横一列３枚のカードを形成するようになっている。
カード打ち抜き部は上記打ち抜き刃の数に限定されるものではなく、横一列１枚以上（例えば縦二列など）であればよい。
【００１２】
カード搬送部６はカードの横一列の整列を保持して搬送する、カードを挟持搬送する多数の搬送ローラ３６から構成されている。
カード搬送部６の中途の搬送ローラ３６と搬送ローラ３６との間に、シート１０のカードを抜き取った抜き残りシート３７をカード搬送部６の外に導きカードと分離させる分離爪３８を設けている。
分離爪３８で分離された抜き残りシート３７は下方に設けられた抜き残りシート回収ボックス３９に投下される。
カード搬送部６の終端ローラ４１はカード排出部４０となっている。
カードの打ち抜き動作中においてはシート搬送部４とカード搬送部６は連動した搬送、停止の動作を行う。
【００１３】
カード受け並べスライド体１１は平らな板部材からなるスライド体本体４５と、このスライド体本体４５の上面にシート１０のカード部分の整列と同様な整列で設けられた、カードを受け収納する５ｍｍ程度の深さの凹からなるカードポケットＰ１〜Ｐ２７と、スライド体本体４５を水平スライド移動させるモータ４７で制御回転されるボールネジからなるスライド体駆動手段４６と、スライド体本体４５の水平スライドを支持案内するガイド（省略）とからなっている。
スライド駆動手段は他にエアシリンダー、ラックなど多様な駆動手段がある。
カードポケットはカードポケットＰ１〜Ｐ２７に限定されるものではなく、より多いカードポケットを有する形態、それより少ない形態も本発明の技術的範疇に含まれるものである。
また、カード受け並べスライド体１１は３×９＝２７であるが、この範囲に入る例えば、横列３枚×縦列５枚のカード部分を整列させてなるシートを打ち抜いて成形したカードを３×５＝１５枚に整列させた形態でカード受け並べスライド体１１に受け取らせ、その整列状態でカード収納体１３に収納することも当然できるものである。
【００１４】
カード受け渡し手段１２は装置枠（省略）に固定された固定部５０と、この固定部５０の中央上部に固定されたエアシリンダー５１と、該５１から下方に延びたシリンダーシャフト５２と、該５２の先端の設けられた吸付け部支持枠５３と、この吸付け部支持枠５３の下部から下げられたカードを吸い付ける整列された多数本のカード吸付け部５４と、吸付け部支持枠５３の四隅に設けられた支持シャフト５５と、この支持シャフト５５をスライド支持する固定部５０に設けられた軸受５６とからなっている。
カード受け渡し手段によるカードの受け渡しは、1シート分全部を一回で行う場合はもちろんのこと、カード吸付け部５４の数が少ない場合は複数回に分けて受け渡しを行い、シートのカード部分の整列状態と略同じ整列状態に収納する形態なども本発明の技術的範疇に含まれるものである。
「シートのカード部分の整列を略維持したまま吸付ける吸付け部」の整列形態は、その吸付け形態はシート全部分のカードである場合もあるし、一部のカードである場合もあり、最終的にカード収納体にシートのカード部分の整列状態と略同様な整列状態で整列積み重ね収納されれば良い。
【００１５】
カード収納体１３は、カード受け渡し手段１２の１シートごとのカードＣ１〜カードＣ２７をカード受け渡し手段１２から受け取って積み重ね収納する複数のカード収納部Ｓ１〜Ｓ２７が設けられている。カード収納部Ｓ１〜Ｓ２７にシート１０のカード部分の整列と同様な整列でカードＣ１〜カードＣ２７を整列収納するようになっている。
カード収納部Ｓ１〜Ｓ２７の底部は昇降される可動底部６０となっていて、立設されたボールネジ（省略）に連結されて収納したカードの最上部が常に一定の位置となるように制御されている。
カード収納部はカード収納部Ｓ１〜Ｓ２７に限定されるものではなく、より多いカード収納部を有する形態、それより少ない形態も本発明の技術的範疇に含まれるものである。
【００１６】
カード打ち抜き装置１は次のように動作する。
（１）シート持ち送り手段３によりシート１０がシート搬送部６にセットされ、シート搬送部６はカード部分Ａ１、Ａ２、Ａ３（横第１列目）をカード打ち抜き部５にセット停止させ、打ち抜きによりカードＣ１、Ｃ２、Ｃ３を形成する。
（２）カードＣ１、Ｃ２、Ｃ３はシート１０内に保持されてカード打ち抜き部５外に送り出され、カード打ち抜き部５にはＡ４、Ａ５、Ａ６（横第２列目）がセットされる、打ち抜かれたカードＣ４、Ｃ５、Ｃ６が形成される。
（３）シート１０およびカードカードＣ１、Ｃ２、Ｃ３はカード搬送部６に届きカード搬送部６のローラに挟持され搬送されるようになる。
（４）横一列ごとに打ち抜きが進行され、シート１０は分離爪３８に当たりその搬送方向をカード搬送部６から外れた下方に変えられ、抜き残りシート３７（屑）となってシート回収ボックス３９に投下収納される。
（５）打ち抜かれたカードはその横列を保持した状態で、カード搬送部６で搬送・停止（打ち抜き時）という間欠的な搬送がされる。
（６）カード排出部４０の下のカードを受けるカード受け位置に、カード受け並べスライド体１１のカードポケットＰ１、Ｐ２、Ｐ３が位置され、カードＣ１、Ｃ２、Ｃ３が排出されカードポケットＰ１にカードＣ１が、カードポケットＰ２にカードＣ２が、カードポケットＰ３にカードＣ３が落とされ受け収められる。（図４の（ａ）、図３の（ａ））
（７）カード受け並べスライド体１１が受け取りスライドしてカード受け位置にカードポケットＰ４、Ｐ５、Ｐ６を位置させ、カードＣ４、Ｃ５、Ｃ６が同時に排出されカードポケットＰ４にカードＣ４が、カードポケットＰ５にカードＣ５が、カードポケットＰ６にカードＣ６が落とされ受け収められる。（図４の（ｂ）、図３の（ｂ））
以上のようにカード横一列ずつ所定のカードポケットにカード受け並べスライド体１１を停止させながら横一列ずつ受け取って行く。（図４の（Ｃ）〜（ｅ））
（８）カードポケットＰ１〜Ｐ２７にカードＣ１〜Ｃ２７が受け収められると、カード受け並べスライド体１１はカード収納体１３の真上（カード受け渡し手段１２の真下）に移動停止し（全カードを受け取った状態が真上の場合もある。）、カード受け渡し手段１２のカード吸付け部５４が下降してカードＣ１〜Ｃ２７を吸付け上昇し、カード受け並べスライド体１１が戻りスライドして、次のカードの受け取り動作を開始する。（図３の（ｃ）〜（ｄ））
（９）カードを吸い付けたカード吸付け部５４が下降し、カード収納部Ｓ１〜Ｓ２７にカードＣ１〜Ｃ２７を降ろし受け取らせ（積み重ね）、カード吸付け部５４を上昇させ、カードを受け並べたカード受け並べスライド体１１の次の到着を待つ。（図示せず）
【産業上の利用可能性】
【００１７】
本発明はカード打ち抜き装置を製造する産業で利用される。
【図面の簡単な説明】
【００１８】
【図１】本発明を実施するための最良の実施の形態の概略側面。
【図２】本発明を実施するための最良の実施の形態のシート持ち送り手段とカード受け渡し手段を省略した概略平面および拡大カード受け並べスライド体平面図。
【図３】本発明を実施するための最良の実施の形態のカード受け並べスライドのカード受け並べの進行状況を示す動作図。
【図４】本発明を実施するための最良の実施の形態のカード受け渡し手段の動作を示す動作図。
【符号の説明】
【００１９】
Ａ１〜Ａ２７：カード部分
Ｃ１〜Ｃ２７：カード
Ｐ１〜Ｐ２７：カードポケット
Ｓ１〜Ｓ２７：カード収納部
１：カード打ち抜き装置
２：シートセット部
３：シート持ち送り手段
４：シート搬送部
５：カード打ち抜き部
６：カード搬送部
７：搬送ローラ
１０：シート
１１：カード受け並べスライド体
１２：カード受け渡し手段
１３：カード収納体
３０：シート吸付け部
３１：上下駆動手段
３２：横駆動手段
３４：打ち抜き装置
３５：打ち抜き刃
３６：搬送ローラ
３７：抜き残りシート
３８：分離爪
３９：抜き残りシート回収ボックス
４０：カード排出部
４１：終端ローラ
４５：スライド体本体
４６：スライド体駆動手段
４７：モータ
５０：固定部
５１：エアシリンダー
５２：シリンダーシャフト
５３：吸付け部支持枠
５４：カード吸付け部
５５：支持シャフト
５６：軸受
６０：可動底部
【手続補正書】
【提出日】平成20年4月30日(2008.4.30)
【手続補正１】
【補正対象書類名】特許請求の範囲
【補正対象項目名】全文
【補正方法】変更
【補正の内容】
【特許請求の範囲】
【請求項１】
複数のカード部分が整列されたシートから該カード部分を打ち抜いてカードを形成するカード打ち抜き部と、
このカード打ち抜き部で打ち抜き形成されたカードを搬送するカード搬送部と、
このカード搬送部の中途の搬送ローラと搬送ローラとの間に設けられた、前記シートの前記カードを抜き取った抜き残りシートを該カード搬送部の外に導き該カードと分離させる分離爪と、
前記カード搬送部の前記抜き残りシートと分離された前記カードを排出するカード排出部と、
前記カード搬送部の下方に往復スライド動作を行うように設けられた、前記排出部から排出される前記カードを横一列ずつ受け取って前記シートのカード部分の整列と略同様な整列状態に受け並べるカードポケットを有するカード受け並べスライド体と、
このカード受け並べスライド体に受け並べられたカードを、前記シートのカード部分の整列を略維持したまま吸付ける吸付け部を有するとともに、該吸付け部に該カードを吸い付けて該カード受け並べスライド体から該カードを受け取る装置枠に固定されてなるカード受け渡し手段と、
このカード受け渡し手段の１シートごとのカードを該カード受け渡し手段から受け取って積み重ね収納する複数のカード収納部が整列され、前記シートのカード部分の整列と略同様な整列で該カードを整列収納する該カード受け渡し手段の真下に設けられたカード収納体とからなり、
前記カードポケットにカードが受け収められると、前記カード受け並べスライド体は前記カード収納体の真上であり且つ前記カード受け渡し手段の真下に停止し、前記カード吸付け部が下降してカードを吸付け上昇し、該カード受け並べスライド体が戻りスライドして、次のカードの受け取り動作を開始し、カードを吸い付けた該カード吸付け部が下降し、前記カード収納部にカードを降ろし受け取らせ、該カード吸付け部を上昇させ、カードを受け並べた該カード受け並べスライド体の次の到着を待つようにしてなることを特徴とするカード打ち抜き装置。
【手続補正２】
【補正対象書類名】明細書
【補正対象項目名】全文
【補正方法】変更
【補正の内容】
【発明の詳細な説明】
【技術分野】
【０００１】
本発明は、横列３枚×縦列９枚＝２７枚というような多数のカード部分を整列したシートを打ち抜くカード打ち抜き装置に関する。
【背景技術】
【０００２】
従来のカード打ち抜き装置は、打ち抜いたカードは搬送されて横一列のみのカードポケットに積み重ねられ収納さる構成となっている。（前記横列３枚×縦列９枚のシートでは横一列３ポケット。）
【特許文献１】特に無し
【非特許文献１】特に無し
【発明の開示】
【発明が解決しようとする課題】
【０００３】
上述した従来技術は次に述べるような欠点を有するものであった。
（１）例えば１００枚の名刺を作成する場合は、そのための一枚の版を作成し、横列３枚×縦列９枚＝２７枚のシートでは、該シートを１枚作成し3シートを打ち抜けばよいことになる。すなわち、少量の注文に一枚の版を作成しなければならないもので、高コストになるという欠点があった。
その逆に２７種類の名刺を施した一枚の版を作成し、２７種類の名刺を１００枚ずつ作成した場合、版コストは低コストになるが、横一列３ポケットに重ね収納するために９種類のカードが積み重なった状態となり、後で種類ごとに仕分ける作業に大変手間がかかるので、高コストになるという欠点があった。
すなわち、多品種少量生産に低コストで対応することができないという欠点を有するものであった。
（２）カード部分が印刷されたシートに塵が付着したりして、不良カードが検出された場合、横一列のポケットであるために、不良カードと良カードとが混在する状態でポケットに積み重ねられてしまい、良カードと不良カードの混在のなかから不良カードを摘出するための煩雑な作業をしなければならないという欠点を有するものであった。
【０００４】
本発明は以上のような従来技術の欠点に鑑みてなされたものであって、その目的は、多品種少量生産を効率よく低コストで実現する、不良カードの取り除きを簡単に行えるカード打ち抜き装置を提供することを目的としている。
【課題を解決するための手段】
【０００５】
上記目的を達成するために、本発明は次のような構成としている。
＜請求項１記載の発明＞
複数のカード部分が整列されたシートから該カード部分を打ち抜いてカードを形成するカード打ち抜き部と、このカード打ち抜き部で打ち抜き形成されたカードを搬送するカード搬送部と、このカード搬送部の中途の搬送ローラと搬送ローラとの間に設けられた、前記シートの前記カードを抜き取った抜き残りシートを該カード搬送部の外に導き該カードと分離させる分離爪と、前記カード搬送部の前記抜き残りシートと分離された前記カードを排出するカード排出部と、前記カード搬送部の下方に往復スライド動作を行うように設けられた、前記排出部から排出される前記カードを横一列ずつ受け取って前記シートのカード部分の整列と略同様な整列状態に受け並べるカードポケットを有するカード受け並べスライド体と、このカード受け並べスライド体に受け並べられたカードを、前記シートのカード部分の整列を略維持したまま吸付ける吸付け部を有するとともに、該吸付け部に該カードを吸い付けて該カード受け並べスライド体から該カードを受け取る装置枠に固定されてなるカード受け渡し手段と、このカード受け渡し手段の１シートごとのカードを該カード受け渡し手段から受け取って積み重ね収納する複数のカード収納部が整列され、前記シートのカード部分の整列と略同様な整列で該カードを整列収納する該カード受け渡し手段の真下に設けられたカード収納体とからなり、前記カードポケットにカードが受け収められると、前記カード受け並べスライド体は前記カード収納体の真上であり且つ前記カード受け渡し手段の真下に停止し、前記カード吸付け部が下降してカードを吸付け上昇し、該カード受け並べスライド体が戻りスライドして、次のカードの受け取り動作を開始し、カードを吸い付けた該カード吸付け部が下降し、前記カード収納部にカードを降ろし受け取らせ、該カード吸付け部を上昇させ、カードを受け並べた該カード受け並べスライド体の次の到着を待つようにしてなるカード打ち抜き装置を構成している。
【発明の効果】
【０００６】
以上の説明から明らかなように、本発明にあっては次に列挙する効果が得られる。
（１）例えば１枚のシートが３枚×９枚＝２７枚のカードを形成できるとし、例えば１００枚の名刺（カード）を作成する場合は、一つの版に最大２７種類の名刺を施し、それを打ち抜いて名刺を形成し並べ積み重ねる形態が、シートの名刺部分（カード部分）の整列と同じ整列で整列され積み重ねられるので、２７種類それぞれが単独で１００枚ずつ重なった状態となる。
すなわち、少数の版で多品種のカードが作成でき、カードを積み重ね収納後で種類ごとに仕分ける作業が必要ない、多品種少量生産を低コストで実現するという効果を奏する。
（２）カード部分が印刷されたシートに塵が付着したりして、不良カードが検出された場合、不良カード部分は同じ部位に生ずることが多く、その不良カード部分は同じカード収納部に収納されているので、その部分のカード束（不良カード束）を除くだけで不良カードの全部を取り除くことができるという、短時間で不良カードの取り除きを完了させるという効果を奏する。
（３）ＩＣチップを埋め込んだＩＣカードにおいては、ＩＣチップには事前に製造元メーカーや製造番号などの基本情報が記憶されており、このＩＣカード束の基本情報をＩＣカード束ごとに分かるようにする、管理できるようにする、証明できるようにするなどのことが行えるという効果を奏する。
【発明を実施するための最良の形態】
【０００７】
以下、図面に示す本発明を実施するための最良の形態により、本発明を詳細に説明する。但し、本発明をそれらのみに限定する趣旨のものではない。
【０００８】
図１ないし図４に示す本発明を実施するための最良の実施の形態において１はカード打ち抜き装置であって、カード打ち抜き装置１はシートセット部２と、このシートセット部２にセットされたカード部分を整列したシート１０を一枚ずつ持ち送るシート持ち送り手段３と、このシート持ち送り手段３からのシート１０を受けて搬送する多数の搬送ローラ７からなるシート搬送部４と、このシート搬送部４で送られてきたシートを打ち抜きカードを形成するカード打ち抜き部５と、このカード打ち抜き部５で打ち抜かれたカードをその横列を保持しながら搬送するカード搬送部６と、このカード搬送部６の下方に往復スライド動作を行うように設けられた、カード搬送部６から排出されるカードをシート１０のカード部分の整列と同様なカード整列に受け並べるカード受け並べスライド体１１と、このカード受け並べスライド体１１に並べられたカードをそのカード整列を維持したまま吸付けて受け取るカード受け渡し手段１２と、このカード受け渡し手段１２が受け取ったカードをそのカード整列を維持したまま受け取り重ね収納する整列されたカード収納部を有するカード収納体１３とからなっている。
【０００９】
シート１０はカード部分Ａ１〜カード部分Ａ２７が横列３枚×縦列９枚＝２７枚が印刷されている。
カード部分Ａ１〜カード部分Ａ２７は打ち抜かれてカードＣ１〜カードＣ２７に形成される。
【００１０】
シート持ち送り手段３はシート１０を吸付ける八本（２列４本）のシート吸付け部３０と、このシート吸付け部３０を上下移動させるエアシリンダーからなる上下駆動手段３１と、前後移動させる横駆動手段３２とからなっている。
【００１１】
打ち抜き装置３４にセットされたカード打ち抜き部５には横一列３枚の打ち抜き刃３５が設けられ、一回の打ち抜き動作でシート１０のカード部分を横一列３枚ずつ打ち抜いて横一列３枚のカードを形成するようになっている。
カード打ち抜き部は上記打ち抜き刃の数に限定されるものではなく、横一列１枚以上（例えば縦二列など）であればよい。
【００１２】
カード搬送部６はカードの横一列の整列を保持して搬送する、カードを挟持搬送する多数の搬送ローラ３６から構成されている。
カード搬送部６の中途の搬送ローラ３６と搬送ローラ３６との間に、シート１０のカードを抜き取った抜き残りシート３７をカード搬送部６の外に導きカードと分離させる分離爪３８を設けている。
分離爪３８で分離された抜き残りシート３７は下方に設けられた抜き残りシート回収ボックス３９に投下される。
カード搬送部６の終端ローラ４１はカード排出部４０となっている。
カードの打ち抜き動作中においてはシート搬送部４とカード搬送部６は連動した搬送、停止の動作を行う。
【００１３】
カード受け並べスライド体１１は平らな板部材からなるスライド体本体４５と、このスライド体本体４５の上面にシート１０のカード部分の整列と同様な整列で設けられた、カードを受け収納する５ｍｍ程度の深さの凹からなるカードポケットＰ１〜Ｐ２７と、スライド体本体４５を水平スライド移動させるモータ４７で制御回転されるボールネジからなるスライド体駆動手段４６と、スライド体本体４５の水平スライドを支持案内するガイド（省略）とからなっている。
スライド駆動手段は他にエアシリンダー、ラックなど多様な駆動手段がある。
カードポケットはカードポケットＰ１〜Ｐ２７に限定されるものではなく、より多いカードポケットを有する形態、それより少ない形態も本発明の技術的範疇に含まれるものである。
また、カード受け並べスライド体１１は３×９＝２７であるが、この範囲に入る例えば、横列３枚×縦列５枚のカード部分を整列させてなるシートを打ち抜いて成形したカードを３×５＝１５枚に整列させた形態でカード受け並べスライド体１１に受け取らせ、その整列状態でカード収納体１３に収納することも当然できるものである。
【００１４】
カード受け渡し手段１２は装置枠（省略）に固定された固定部５０と、この固定部５０の中央上部に固定されたエアシリンダー５１と、該５１から下方に延びたシリンダーシャフト５２と、該５２の先端の設けられた吸付け部支持枠５３と、この吸付け部支持枠５３の下部から下げられたカードを吸い付ける整列された多数本のカード吸付け部５４と、吸付け部支持枠５３の四隅に設けられた支持シャフト５５と、この支持シャフト５５をスライド支持する固定部５０に設けられた軸受５６とからなっている。
カード受け渡し手段によるカードの受け渡しは、1シート分全部を一回で行う場合はもちろんのこと、カード吸付け部５４の数が少ない場合は複数回に分けて受け渡しを行い、シートのカード部分の整列状態と略同じ整列状態に収納する形態なども本発明の技術的範疇に含まれるものである。
「シートのカード部分の整列を略維持したまま吸付ける吸付け部」の整列形態は、その吸付け形態はシート全部分のカードである場合もあるし、一部のカードである場合もあり、最終的にカード収納体にシートのカード部分の整列状態と略同様な整列状態で整列積み重ね収納されれば良い。
【００１５】
カード収納体１３は、カード受け渡し手段１２の１シートごとのカードＣ１〜カードＣ２７をカード受け渡し手段１２から受け取って積み重ね収納する複数のカード収納部Ｓ１〜Ｓ２７が設けられている。カード収納部Ｓ１〜Ｓ２７にシート１０のカード部分の整列と同様な整列でカードＣ１〜カードＣ２７を整列収納するようになっている。
カード収納部Ｓ１〜Ｓ２７の底部は昇降される可動底部６０となっていて、立設されたボールネジ（省略）に連結されて収納したカードの最上部が常に一定の位置となるように制御されている。
カード収納部はカード収納部Ｓ１〜Ｓ２７に限定されるものではなく、より多いカード収納部を有する形態、それより少ない形態も本発明の技術的範疇に含まれるものである。
【００１６】
カード打ち抜き装置１は次のように動作する。
（１）シート持ち送り手段３によりシート１０がシート搬送部６にセットされ、シート搬送部６はカード部分Ａ１、Ａ２、Ａ３（横第１列目）をカード打ち抜き部５にセット停止させ、打ち抜きによりカードＣ１、Ｃ２、Ｃ３を形成する。
（２）カードＣ１、Ｃ２、Ｃ３はシート１０内に保持されてカード打ち抜き部５外に送り出され、カード打ち抜き部５にはＡ４、Ａ５、Ａ６（横第２列目）がセットされる、打ち抜かれたカードＣ４、Ｃ５、Ｃ６が形成される。
（３）シート１０およびカードカードＣ１、Ｃ２、Ｃ３はカード搬送部６に届きカード搬送部６のローラに挟持され搬送されるようになる。
（４）横一列ごとに打ち抜きが進行され、シート１０は分離爪３８に当たりその搬送方向をカード搬送部６から外れた下方に変えられ、抜き残りシート３７（屑）となってシート回収ボックス３９に投下収納される。
（５）打ち抜かれたカードはその横列を保持した状態で、カード搬送部６で搬送・停止（打ち抜き時）という間欠的な搬送がされる。
（６）カード排出部４０の下のカードを受けるカード受け位置に、カード受け並べスライド体１１のカードポケットＰ１、Ｐ２、Ｐ３が位置され、カードＣ１、Ｃ２、Ｃ３が排出されカードポケットＰ１にカードＣ１が、カードポケットＰ２にカードＣ２が、カードポケットＰ３にカードＣ３が落とされ受け収められる。（図４の（ａ）、図３の（ａ））
（７）カード受け並べスライド体１１が受け取りスライドしてカード受け位置にカードポケットＰ４、Ｐ５、Ｐ６を位置させ、カードＣ４、Ｃ５、Ｃ６が同時に排出されカードポケットＰ４にカードＣ４が、カードポケットＰ５にカードＣ５が、カードポケットＰ６にカードＣ６が落とされ受け収められる。（図４の（ｂ）、図３の（ｂ））
以上のようにカード横一列ずつ所定のカードポケットにカード受け並べスライド体１１を停止させながら横一列ずつ受け取って行く。（図４の（Ｃ）〜（ｅ））
（８）カードポケットＰ１〜Ｐ２７にカードＣ１〜Ｃ２７が受け収められると、カード受け並べスライド体１１はカード収納体１３の真上（カード受け渡し手段１２の真下）に移動停止し（全カードを受け取った状態が真上の場合もある。）、カード受け渡し手段１２のカード吸付け部５４が下降してカードＣ１〜Ｃ２７を吸付け上昇し、カード受け並べスライド体１１が戻りスライドして、次のカードの受け取り動作を開始する。（図３の（ｃ）〜（ｄ））
（９）カードを吸い付けたカード吸付け部５４が下降し、カード収納部Ｓ１〜Ｓ２７にカードＣ１〜Ｃ２７を降ろし受け取らせ（積み重ね）、カード吸付け部５４を上昇させ、カードを受け並べたカード受け並べスライド体１１の次の到着を待つ。（図示せず）
【産業上の利用可能性】
【００１７】
本発明はカード打ち抜き装置を製造する産業で利用される。
【図面の簡単な説明】
【００１８】
【図１】本発明を実施するための最良の実施の形態の概略側面。
【図２】本発明を実施するための最良の実施の形態のシート持ち送り手段とカード受け渡し手段を省略した概略平面および拡大カード受け並べスライド体平面図。
【図３】本発明を実施するための最良の実施の形態のカード受け並べスライドのカード受け並べの進行状況を示す動作図。
【図４】本発明を実施するための最良の実施の形態のカード受け渡し手段の動作を示す動作図。
【符号の説明】
【００１９】
Ａ１〜Ａ２７：カード部分
Ｃ１〜Ｃ２７：カード
Ｐ１〜Ｐ２７：カードポケット
Ｓ１〜Ｓ２７：カード収納部
１：カード打ち抜き装置
２：シートセット部
３：シート持ち送り手段
４：シート搬送部
５：カード打ち抜き部
６：カード搬送部
７：搬送ローラ
１０：シート
１１：カード受け並べスライド体
１２：カード受け渡し手段
１３：カード収納体
３０：シート吸付け部
３１：上下駆動手段
３２：横駆動手段
３４：打ち抜き装置
３５：打ち抜き刃
３６：搬送ローラ
３７：抜き残りシート
３８：分離爪
３９：抜き残りシート回収ボックス
４０：カード排出部
４１：終端ローラ
４５：スライド体本体
４６：スライド体駆動手段
４７：モータ
５０：固定部
５１：エアシリンダー
５２：シリンダーシャフト
５３：吸付け部支持枠
５４：カード吸付け部
５５：支持シャフト
５６：軸受
６０：可動底部